(57)【要約】      （修正有）【課題】タンパク質の保存安定性に優れ、一定期間保管しても、診断薬の診断正確度の低下が少ない体外診断薬組成物を提供する。【解決手段】下記一般式（１）で表される化合物及びその塩からなる群より選ばれる少なくとも１種の化合物（Ａ）、タンパク質（ａ）及び水を含有する体外診断薬組成物。2011196996.tif 000014［式中、Ｘはイミノ基、酸素原子又は硫黄原子を表す。］【選択図】なし【特許請求の範囲】
【請求項１】
下記一般式（１）で表される化合物及びその塩からなる群より選ばれる少なくとも１種の化合物（Ａ）、タンパク質（ａ）及び水を含有する体外診断薬組成物。
【化１】
2011196996.tif 000012
［式中、Ｘはイミノ基、酸素原子又は硫黄原子を表す。］
【請求項２】
タンパク質（ａ）が酵素である請求項１記載の体外診断薬組成物。
【請求項３】
化合物（Ａ）がグアニジン塩酸塩である請求項１又は２に記載の体外診断薬組成物。
【請求項４】
さらに下記一般式（２）で表される化合物（Ｂ）を含有する請求項１〜３のいずれかに記載の体外診断薬組成物。
【化２】
2011196996.tif 000013
[式中、Ｑは、アミノ基又はアルキル基を表し、アルキル基中の水素原子の一部が水素原子以外の基に置換されていてもよい。]
【請求項５】
化合物（Ａ）の含有量が体外診断薬組成物の重量を基準として０．０１〜３０重量％である請求項１〜４のいずれかに記載の体外診断薬組成物。
【発明の詳細な説明】
【技術分野】
【０００１】
本発明は、体外診断薬組成物に関する。
【背景技術】
【０００２】
タンパク質、とりわけ酵素や抗体は、その基質特異性の高さや簡便性から、臨床診断をはじめ様々な用途に応用されている。例えば、体外診断薬、分子生物学用の分析試薬又は生化学用の分析試薬などである。これら試薬に適用する酵素や抗体は、各種化合物による標識や修飾などを受けることもある。そして、これら試薬は、目的や用途に応じて、タンパク質を溶液に溶解した状態、乾燥粉末にした状態、担体に固定化し緩衝液などに浸漬した状態又は乾燥した状態で提供される。
【０００３】
体外診断薬組成物の性能を長期にわたって維持するためには、タンパク質の活性を安定に維持することが重要である。例えば、組成物中の酵素活性あるいは抗体活性が時間経過により低下する場合には、所望の組成物の有効期間と酵素あるいは抗体の活性低下速度に合わせて、予め過剰量の酵素、抗体を添加する方策があるが、多くの場合、このような方策では問題の根本的な解決にはならず、コストが嵩むことは避けられない。
【０００４】
そこで、抗体含有組成物中に塩（リン酸塩、塩酸塩、硫酸塩等）、糖（ラクトース、スクロース及びトレハロース等）、多価アルコール（グリセロール、エチレングリコール及びエリスリトール等）、アミノ酸（アルギニン、リジン、グリシン等）、界面活性剤（脂肪酸エステル、ポリオキシエチレン（付加モル数２０）ソルビタンモノラウレート、ポリオキシエチレン（付加モル数１０）オクチルフェニルエーテル等）又はタンパク質（アルブミン、カゼイン、ゼラチン等）等を共存させることで、安定化を図る方法が多数提案されている（例えば、特許文献１〜７）。なかでも、牛血清アルブミンは、安定化剤として広く用いられている。
【０００５】
しかしながら、従来提案されている安定化剤を含む体外診断薬は、タンパク質の活性が時間経過により低下するため、一定期間保管後に診断正確度が低下する問題がある。牛血清アルブミンは、安定化剤として一定の効果はあるものの、十分満足できるレベルではなく、その上、供給面、安全面、価格面に課題がある。
また、近年、「病気は治療ではなく、予防するもの」の考え方が広まってきており、診断正確度の向上が望まれている。
【先行技術文献】
【特許文献】
【０００６】
【特許文献１】特開昭６０−３５２６３号公報
【特許文献２】特表昭６３−５００５６２号公報
【特許文献３】特開平６−１８６２３０号公報
【特許文献４】特開平９−８００５１号公報
【特許文献５】特開平１０−２７９５９４号公報
【特許文献６】特表２００１−５０３７８１号公報
【特許文献７】特開２００３−２１５１２７号公報
【発明の概要】
【発明が解決しようとする課題】
【０００７】
本発明は、タンパク質の保存安定性に優れ、一定期間保管しても、診断薬の診断正確度の低下が少ない体外診断薬組成物を提供すること課題とする。
【課題を解決するための手段】
【０００８】
本発明者は、上記の目的を達成するべく検討を行った結果、本発明に到達した。
すなわち、本発明の体外診断薬組成物は、下記一般式（１）で表される化合物及びその塩からなる群より選ばれる少なくとも１種の化合物（Ａ）、タンパク質（ａ）及び水を含有することを要旨とする。
【化１】
2011196996.tif 000002
［式中、Ｘはイミノ基、酸素原子又は硫黄原子を表す。］
【発明の効果】
【０００９】
本発明の体外診断薬組成物は、一定期間保管しても、診断薬の診断正確度を保つことができる。
【発明を実施するための形態】
【００１０】
本発明の体外診断薬組成物は、下記一般式（１）で表される化合物及びその塩からなる群より選ばれる少なくとも１種の化合物（Ａ）、タンパク質（ａ）及び水を含有する体外診断薬組成物である。
【００１１】
【化２】
2011196996.tif 000003
【００１２】
［式（１）中、Ｘはイミノ基、酸素原子又は硫黄原子を表す。］
【００１３】
タンパク質を液体中で保存すると、凝集や加水分解等を起こし診断正確度が低下するという問題点があるが、本発明では、特定の化学構造を有する上記の化合物（Ａ）を体外診断薬組成物に含有させることにより解決できる。
【００１４】
一般式（１）で表される化合物として、具体的にはグアニジン、尿素及びチオ尿素が挙げられる。
【００１５】
一般式（１）で表される化合物の塩としては、グアニジンの塩が挙げられる。
塩としては塩酸塩、炭酸塩、ホウ酸塩、硫酸塩及びリン酸塩等が挙げられる。
【００１６】
化合物（Ａ）としては、診断正確度の持続性の観点で、グアニジンの塩及び尿素が好ましく、さらに好ましくはグアニジンの塩、次にさらに好ましくはグアニジン塩酸塩である。
【００１７】
本発明の体外診断薬組成物中に含まれる化合物（Ａ）の含有量（重量％）は、診断正確度の持続性の観点から体外診断薬組成物の重量に対し０．０１〜３０が好ましく、さらに好ましくは０．０２〜１０、次にさらに好ましくは０．０３〜５、特に好ましくは０．０５〜３である。
本発明の体外診断薬組成物中に含まれる化合物（Ａ）の含有量は、診断正確度の持続性の観点から、タンパク質（ａ）の重量に対し、１〜１０００重量％となるように含有することが好ましく、さらに好ましくは５〜５００重量％となるように含有することであり、次にさらに好ましくは１０〜３００重量％となるように含有することである。
【００１８】
本発明の体外診断薬組成物は、さらに下記一般式（２）で表される化合物（Ｂ）を含有することができる。診断正確度の持続性の観点から、（Ｂ）を含有することが好ましい。
【００１９】
【化３】
2011196996.tif 000004
【００２０】
一般式（２）中、Ｑはアミノ基又はアルキル基を表し、アルキル基中の水素原子の一部が水素原子以外の置換基に置換されていてもよい。
【００２１】
Ｑのアルキル基としては炭素数１〜２２のアルキル基が挙げられ、具体的にメチル基、エチル基、プロピル基、ブチル基、ペンチル基、ヘキシル基、オクチル基、ノニル基、デシル基、ドデシル基、セチル基、ステアリル基及びベヘニル基等が挙げられる。これらのアルキル基中の水素原子の一部が水素原子以外の置換基に置換されてもよい。
水素原子以外の置換基としては、アミノ基、カルボキシル基、アミド基、エステル基、イミノ基及びヒドロキシル基等が挙げられる。置換基の数は１〜３が好ましく、さらに好ましくは２〜３である。例えばＱがブチル基の場合、ブチル基末端の水素原子２つが１つのアミノ基及び１つのカルボキシル基で置換された場合は（Ｂ）はアルギニンを表す。
【００２２】
化合物（Ｂ）としては、アルギニン又はその塩（Ｂ−１）、アルギニン誘導体又はその塩（Ｂ−２）及びグアニジン誘導体又はその塩（Ｂ−３）が挙げられる。
【００２３】
アルギニン又はその塩（Ｂ−１）として、アルギニン、アルギニンの無機酸塩（塩酸塩、ホウ酸塩、リン酸塩、ピロリン酸塩、硫酸塩及びケイ酸塩等）及びアルギニンの有機酸塩（ギ酸塩、酢酸塩、シュウ酸塩、乳酸塩、クエン酸塩、トリメリット酸塩及びピロメリット酸塩等）が挙げられる。
【００２４】
アルギニン誘導体又はその塩（Ｂ−２）において、アルギニン誘導体は下記一般式（３）で表されるアルギニンのα−アミノ基若しくはα−カルボキシル基又はこれらの両方の基が置換された誘導体である。
α−アミノ基の置換は、下記一般式（４）で表されるＮ−アルキルカルボニル−アミド基（Ｙ−１）又は一般式（５）で表されるイミノ基（Ｙ−２）への置換であり、α−カルボキシル基の置換は下記一般式（６）で表されるエステル基又は下記一般式（７）で表されるＮ−アルキルアミド基（Ｚ−２）への置換である。
【００２５】
言い換えると、アルギニン誘導体又はその塩（Ｂ−２）では、α−アミノ基又はα−カルボキシル基の少なくともいずれか一方が置換されている。すなわち、Ｙがアミノ基の場合、Ｚは下記一般式（６）で表されるエステル基（Ｚ−１）又は下記一般式（７）で表されるＮ−アルキルアミド基（Ｚ−２）であり、Ｚがカルボキシル基の場合は、Ｙは下記一般式（４）で表されるＮ−アルキルカルボニル−アミド基（Ｙ−１）又は下記一般式（５）で表されるイミノ基（Ｙ−２）である。
【００２６】
【化４】
2011196996.tif 000005
【００２７】
一般式（３）中、Ｙはアミノ基、下記一般式（４）で表されるＮ−アルキルカルボニル−アミド基（Ｙ−１）又は下記一般式（５）で表されるイミノ基（Ｙ−２）を表す。Ｚは、カルボキシル基、下記一般式（６）で表されるエステル基（Ｚ−１）又は下記一般式（７）で表されるＮ−アルキルアミド基（Ｚ−２）を表す。
【００２８】
【化５】
2011196996.tif 000006
【００２９】
一般式（４）中、Ｒ1は、水素原子又は炭素数１〜３６の１価の炭化水素基を表し、この炭化水素基はその水素原子の一部が水素原子以外の他の官能基に置換されていてもよい。
【００３０】
一般式（４）で表されるＮ−アルキルカルボニル−アミド基（Ｙ−１）におけるＲ1の炭化水素基としては、炭素数１〜３６の１価の炭化水素基であり、直鎖又は分岐の脂肪族炭化水素基、脂環式炭化水素基及び芳香族炭化水素基が含まれる。
直鎖の脂肪族炭化水素基としては、メチル基、エチル基、プロピル基、ブチル基、ペンチル基、ヘキシル基、オクチル基、ノニル基、デシル基、ラウリル基、パルミチル基、ステアリル基、オレイル基及びベヘニル基等が挙げられる。
分岐の脂肪族炭化水素基としては、イソプロピル基及びｔ−ブチル基等が挙げられる。
脂環式炭化水素基としては、シクロヘキシル基、メチルシクロヘキシル基及びシクロヘキシルメチル基等が挙げられる。
芳香族炭化水素基としては、フェニル基、メチルフェニル基、ベンジル基、フェニルエチル基及びメチルベンジル基等が挙げられる。
これらの炭化水素基のうち、診断正確度の持続性の観点から、直鎖の脂肪族炭化水素基が好ましく、さらに好ましくはメチル基及びエチル基、最も好ましくはメチル基である。
水素原子以外の置換基としては、アミノ基、カルボキシル基、アミド基、エステル基、イミノ基及びヒドロキシル基等が挙げられる。
【００３１】
一般式（４）で表されるＮ−アルキルカルボニル−アミド基（Ｙ−１）として具体的には、ホルムアミド基、アセチルアミド基、プロピオン酸アミド基、ブチル酸アミド基、ヘキシル酸アミド基、シクロヘキシル酸アミド基、オクチル酸アミド基及びベンゾイルアミド基等が挙げられる。
【００３２】
【化６】
2011196996.tif 000007
【００３３】
一般式（５）中、Ｒ2とＲ3はそれぞれ独立に、水素原子又は炭素数１〜３６の炭化水素基を表し、これらの炭化水素基はその水素原子の一部が水素原子以外の他の官能基に置換されていてもよい。
【００３４】
一般式（５）で表されるイミノ基（Ｙ−２）において、Ｒ2とＲ3は、Ｒ1と同様の炭化水素基が含まれ、これらの炭化水素基はＲ1と同様に、その一部が他の官能基に置換されていてもよい。
【００３５】
一般式（５）で表されるイミノ基（Ｙ−２）としては、メチルイミノ基等が挙げられる。
【００３６】
【化７】
2011196996.tif 000008
【００３７】
一般式（６）中、Ｒ4は、炭素数１〜３６の炭化水素基を表す、又は多価アルコール若しくは糖から１つのヒドロキシル基を除いた残基を表す。
この炭化水素基はその水素原子一部が他の官能基、例えば、ヒドロキシル基、メトキシル基、エトキシル基、ニトロ基及びヒドロキシフェニル基からなる群より選ばれる官能基で置換されていてもよい。
【００３８】
一般式（６）で表されるエステル基（Ｚ−１）において、Ｒ4が炭素数１〜３６の炭化水素基の場合、その炭化水素基は、前記Ｒ1と同様の炭化水素基が含まれる。
Ｒ4が炭素数１〜３６の炭化水素基の場合、これらの炭化水素基のうち、診断正確度の持続性の観点から、直鎖の脂肪族炭化水素基が好ましく、さらに好ましくはメチル基及びエチル基、最も好ましくはエチル基である。
【００３９】
多価アルコールとしては、２価〜３価のアルコールが含まれ、エチレングリコール、プロピレングリコール、ジエチレングリコール及びグリセリン等が挙げられる。
糖としては、グルコース、スクロース、ソルビトール、マンニトール及びトレハロース等が挙げられる。
【００４０】
【化８】
2011196996.tif 000009
【００４１】
一般式（７）中、Ｒ5は、水素原子又は炭素数１〜３６の炭化水素基を表し、この炭化水素基はその水素原子の一部が水素原子以外の他の官能基に置換されていてもよい。
【００４２】
一般式（７）で表されるＮ−アルキルアミド基（Ｚ−２）において、Ｒ5が炭素数１〜３６の炭化水素基の場合、その炭化水素基としては、前記Ｒ1と同様の炭化水素基が含まれ、これらの炭化水素基はＲ1と同様に、その一部が他の官能基に置換されていてもよい。
Ｒ5が炭素数１〜３６の炭化水素基の場合、これらの炭化水素基のうち、診断正確度の持続性の観点から、直鎖の脂肪族炭化水素基が好ましく、さらに好ましくはメチル基及びエチル基、最も好ましくはメチル基である。
【００４３】
アルギニン誘導体又はその塩（Ｂ−２）がアルギニン誘導体の塩の場合、無機酸塩（塩酸塩、ホウ酸塩、リン酸塩、ピロリン酸塩、硫酸塩及びケイ酸塩等）及び有機酸塩（ギ酸塩、酢酸塩、シュウ酸塩、乳酸塩、クエン酸塩、トリメリット酸塩及びピロメリット酸塩等）が挙げられる。
【００４４】
アルギニン誘導体又はその塩（Ｂ−２）の化合物として具体的に、Ｎ−アセチルアルギニンエチルエステル塩酸塩が挙げられる。
【００４５】
グアニジン誘導体又はその塩（Ｂ−３）としては、Ｑを特に限定するものではないが、具体的にアミノグアニジン（−ＮＨ2）、ジシアンジアミド（−ＣＮ）、グアニルチオウレア（−Ｃ（＝Ｓ）ＮＨ2）、ドデシルグアニジン（−Ｃ12Ｈ25）、エチルグアニジン（−Ｃ2Ｈ5）、オクチルグアニジン（−Ｃ8Ｈ17）及びビグアニド（−Ｃ（＝ＮＨ）ＮＨ2）が挙げられる。ここで、（）内はＱを表す。
【００４６】
これらのうち、診断正確度の持続性の観点で、好ましくは（Ｂ−１）及び（Ｂ−２）であり、さらに好ましくは、（Ｂ−２）であり、特に好ましいのはＮ−α−アセチルアルギニンエチルエステル塩酸塩である。
【００４７】
本発明の体外診断薬組成物中に含まれる化合物（Ｂ）の含有量（重量％）は、診断正確度の持続性の観点から体外診断薬組成物の重量に対し０．０１〜３０が好ましく、さらに好ましくは０．０３〜１０、次にさらに好ましくは０．０５〜５である。
本発明の体外診断薬組成物中に含まれる化合物（Ｂ）の含有量は、診断正確度の持続性の観点から、タンパク質（ａ）の重量に対し、１〜１０００重量％となるように含有することが好ましく、さらに好ましくは５〜５００重量％となるように含有することであり、次にさらに好ましくは１０〜３００重量％となるように含有することである。
【００４８】
本発明の体外診断薬組成物は化合物（Ａ）のみを含有すればよいが、診断正確度の持続性の観点から、化合物（Ａ）及び化合物（Ｂ）を含有することが好ましい。
【００４９】
（Ａ）及び（Ｂ）を含有する場合、（Ａ）と（Ｂ）との重量比（（Ａ）の重量／（Ｂ）の重量）は０.０１〜３０が好ましく、さらに好ましくは０．１〜２０であり、特に好ましくは０．２〜１０である。
【００５０】
本発明における必須成分であるタンパク質（ａ）としては、酵素（ａ−１）、抗体（ａ−２）が挙げられる。
【００５１】
酵素（ａ−１）としては、体外診断薬として使用される酵素であれば特に限定するものではないが、特に、酸化還元酵素、加水分解酵素が好ましい。
酸化還元酵素として具体的に、ペルオキシターゼ、グルコースオキシターゼ、コレステロールオキシターゼ、アスコルビン酸オキシターゼ、アルコールオキシターゼ、コレステロールデヒドロゲナーゼ、アルコールデヒドロゲナーゼ、乳酸デヒドロゲナーゼ等が挙げられる。
加水分解酵素として具体的に、アルカリ性フォスファターゼ、リパーゼ、アミラーゼ、プロテアーゼ及びセルラーゼ等が挙げられる。
【００５２】
抗体（ａ−２）としては、体外診断薬として使用される抗体であれば特に限定するものではないが、各種モノクローナル抗体及びポリクローナル抗体が挙げられる。
【００５３】
上記のタンパク質（ａ）のうち、診断正確度の持続性の観点で、酵素（ａ−１）が好ましく、特に好ましくはペルオキシダーゼ、アルカリ性フォスファターゼ、コレステロールオキシターゼ、及びリパーゼである。
【００５４】
本発明において、体外診断薬組成物に含まれるタンパク質（ａ）は、２種以上を含むことができる。２種以上を含む場合の組み合わせとしては、酵素２種以上、酵素と抗体をそれぞれ１種以上、抗体２種以上含む組み合わせが挙げられる。酵素で標識した抗体もこれに含まれる。
【００５５】
本発明の体外診断薬組成物に含まれるタンパク質（ａ）の含有量は、診断正確度の観点から体外診断薬組成物の重量に対し、０．０１〜５重量％が好ましく、さらに好ましくは０．０５〜３重量％、０．１〜２重量％である。
【００５６】
本発明の必須成分である水は、特に限定するものではなく、水道水、イオン交換水、蒸留水及び逆浸透水等が挙げられる。
【００５７】
本発明の体外診断薬組成物に含まれる水の含有量は、診断正確度の持続性の観点から、体外診断薬組成物の重量に対し、６５〜９９．９重量％が好ましく、さらに好ましくは８７〜９９．９重量％、特に好ましくは９３〜９９．８重量％である。
【００５８】
本発明の体外診断薬組成物には、診断正確度を向上させるために、上記の化合物（Ａ）及び（Ｂ）、タンパク質（ａ）及び水以外に、発色物質（ｂ）、界面活性剤（ｃ）、水混和性有機溶剤（ｄ）、無機塩（ｅ）、糖（ｆ）、アルギニン以外のアミノ酸（ｇ）、アルカリ剤（ｈ）、キレート剤（ｉ）及びタンパク質吸着防止剤（ｊ）を含有することができる。
【００５９】
発色物質（ｂ）として、体外診断薬に用いられている公知の物質を用いることができ、例えば、アミノアンチピリン/フェノール等が挙げられる。
【００６０】
界面活性剤（ｃ）として、ノニオン性界面活性剤（ｃ−１）、アニオン性界面活性剤（ｃ−２）、カチオン性界面活性剤（ｃ−３）及び両性界面活性剤（ｃ−４）が挙げられる。
【００６１】
ノニオン性界面活性剤（ｃ−１）としては、脂肪族アルコール（炭素数８〜２４）アルキレンオキサイド（炭素数２〜８）付加物（重合度＝１〜１００）［オレイルアルコールエチレンオキサイドプロピレンオキサイド付加物等］、脂肪族アミン（炭素数８〜２４）アルキレンオキサイド（炭素数２〜８）付加物（重合度＝１〜１００）［ヘキサデシルアミンエチレンオキサイドプロピレンオキサイド付加物、ラウリルアミンエチレンオキサイド付加物、ステアリルアミンエチレンオキサイドプロピレンオキサイド付加物等］、（ポリ）オキシアルキレン（炭素数２〜８、重合度＝１〜１００）グリコール高級脂肪酸（炭素数８〜２４）エステル［モノステアリン酸ポリエチレングリコール（重合度＝２０）及びジステアリン酸ポリエチレングリコール（重合度＝３０）等］、多価（２価〜１０価又はそれ以上）アルコール脂肪酸（炭素数８〜２４）エステル［モノステアリン酸グリセリン、モノステアリン酸エチレングリコール及びモノラウリン酸ソルビタン等］、多価（２価〜１０価又はそれ以上）アルコール高級脂肪酸（炭素数８〜２４）エステル（ポリ）アルキレンオキサイド付加物（アルキレン基の炭素数２〜８，重合度＝１〜１００）［ソルビタンモノラウレートエチレンオキサイド（重合度＝１０）付加物及びメチルグルコースジオレエートエチレンオキサイド（重合度＝５０）付加物等］、脂肪酸Ｎ−ヒドロキシアルキルアミド［１：１型ヤシ油脂肪酸ジエタノールアミド及び１：１型ラウリン酸ジエタノールアミド等］、アルキル（炭素数１〜２２）（ポリ）オキシアルキレン（炭素数２〜８、重合度＝１〜１００）フェニルエーテル、アルキル（炭素数８〜２４）（ポリ）オキシアルキレン（炭素数２〜８、重合度＝１〜１００）−アミノアルキル（炭素数８〜２４）−エーテル及びアルキル（炭素数８〜２４）ジアルキル（炭素数１〜６）アミンオキシド［ラウリルジメチルアミンオキシド等］等が挙げられる。
【００６２】
アニオン性界面活性剤（ｃ−２）としては、炭素数８〜２４のアルキルエーテルカルボン酸又はその塩及び炭素数８〜２４のアルキル（ポリ）オキシエチレンエーテルカルボン酸又はその塩［（ポリ）オキシエチレン（重合度＝１〜１００）ラウリルエーテル酢酸ナトリウム及び（ポリ）オキシエチレン（重合度＝１〜１００）ラウリルスルホコハク酸２ナトリウム等］、炭素数８〜２４のアルキル硫酸エステル塩及び炭素数８〜２４のアルキル（ポリ）オキシエチレン硫酸エステル塩［ラウリル硫酸ナトリウム、ラウリル（ポリ）オキシエチレン（重合度＝１〜１００）硫酸ナトリウム及びラウリル（ポリ）オキシエチレン（重合度＝１〜１００）硫酸−トリエタノールアミン塩等］、ヤシ油脂肪酸モノエタノールアミド硫酸スルホン酸ナトリウム、炭素数８〜２４のアルキルフェニルスルホン酸塩［ドデシルベンゼンスルホン酸ナトリウム等］、炭素数８〜２４のアルキルリン酸エステル塩及び炭素数８〜２４のアルキル（ポリ）オキシエチレンリン酸エステル塩［ラウリルリン酸ナトリウム及び（ポリ）オキシエチレン（重合度＝１〜１００）ラウリルエーテルリン酸ナトリウム等］、脂肪酸塩［ラウリン酸ナトリウム及びラウリン酸トリエタノールアミン等］、アシル化アミノ酸塩［ヤシ油脂肪酸メチルタウリンナトリウム、ヤシ油脂肪酸ザルコシンナトリウム、ヤシ油脂肪酸ザルコシントリエタノールアミン、Ｎ−ヤシ油脂肪酸アシル−Ｌ−グルタミン酸トリエタノールアミン、Ｎ−ヤシ油脂肪酸アシル−Ｌ−グルタミン酸ナトリウム及びラウロイルメチル−β−アラニンナトリウム等］が挙げられる。
【００６３】
カチオン性界面活性剤（ｃ−３）としては、第４級アンモニウム塩型［塩化ステアリルトリメチルアンモニウム、塩化ベヘニルトリメチルアンモニウム、塩化ジステアリルジメチルアンモニウム及びエチル硫酸ラノリン脂肪酸アミノプロピルエチルジメチルアンモニウム等］及びアミン塩型［ステアリン酸ジエチルアミノエチルアミド乳酸塩、ジラウリルアミン塩酸塩及びオレイルアミン乳酸塩等］等が挙げられる。
【００６４】
両性界面活性剤（ｃ−４）としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ラウリルヒドロキシスルホベタイン及びラウロイルアミドエチルヒドロキシエチルカルボキシメチルベタインヒドロキシプロピルリン酸ナトリウム等］、アミノ酸型両性界面活性剤［β−ラウリルアミノプロピオン酸ナトリウム等］が挙げられる。
【００６５】
界面活性剤（ｃ）としては、１種又は２種以上が使用出来る。２種以上を使用する場合、その組み合わせとしては、例えばノニオン性界面活性剤とアニオン性界面活性剤、ノニオン性界面活性剤とカチオン性界面活性剤、及びノニオン性界面活性剤と両性界面活性剤の組み合わせ等が挙げられる。
【００６６】
界面活性剤（ｃ）として、診断正確度の観点から、ノニオン性界面活性剤が好ましい。
ノニオン性界面活性剤のうち、脂肪族アルコール（炭素数８〜２４）アルキレンオキサイド（炭素数２〜８）付加物（重合度＝１〜１００）、多価（２価〜１０価又はそれ以上）アルコール高級脂肪酸（炭素数８〜２４）エステル（ポリ）アルキレンオキサイド付加物（アルキレン基の炭素数２〜８，重合度＝１〜１００）、脂肪族アミン（炭素数８〜２４）エチレンオキサイドプロピレンオキサイド付加物（重合度＝１〜１００）及びアルキル（炭素数８〜２４）ジアルキル（炭素数１〜６）アミンオキシドがさらに好ましい。
【００６７】
水混和性有機溶剤（ｄ）としては、水１００ｇに対する溶解度が１０ｇ以上の溶剤であれば特に限定するものではないが、エタノール、イソプロピルアルコール、グリセリン、エチレングリコール、プロピレングリコール及びソルビトール等が挙げられる。
【００６８】
無機塩（ｅ）として、塩化ナトリウム、塩化カリウム、ホウ酸ナトリウム、塩化カルシウム、塩化マグネシウム、ギ酸ナトリウム、硫酸マグネシウム及び硫酸アンモニウム等が挙げられる。
【００６９】
糖（ｆ）として、トレハロース、スクロース、デキストリン、シクロデキストリン、マルトース、フルクトース、ヒアルロン酸及びコンドロイチン硫酸等が挙げられる。
【００７０】
アルギニン以外のアミノ酸（ｇ）として、グリシン、アラニン、アスパラギン酸、アスパラギン、フェニルアラニン、トリプトファン、チロシン、ロイシン、リシン、ヒスチジン及びそれらの塩等が挙げられる。
【００７１】
アルカリ剤（ｈ）として、例えば、苛性ソーダ、ソーダ灰、アンモニア、トリエタノールアミン、ジエタノールアミン、モノエタノールアミン及びトリポリリン酸ソーダ等が挙げられる。
【００７２】
キレート剤（ｉ）としては、体外診断薬に用いられる公知のものを用いることができる。例えば、ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸及びジエンコル酸等のアミノポリ酢酸又はこれらの塩、ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸及びカルボキシメチル酒石酸等の有機酸又はこれらの塩並びにアミノトリ（メチレンホスホン酸）、１−ヒドロキシエチリデン−１，１−ジホスホン酸、エチレンジアミンテトラ（メチレンホスホン酸）、ジエチレントリアミンペンタ（メチレンホスホン酸）又はこれらのアルカリ金属若しくは低級アミン塩等が挙げられる。
【００７３】
タンパク質吸着防止剤（ｊ）としては、体外診断薬に用いられている公知の物質を用いることができ、例えば、ウシ血清アルブミン（ＢＳＡ）、ポリエチレングリコール（ＰＥＧ）、ゼラチン及びコラーゲン等が挙げられる。
【００７４】
本発明の体外診断薬組成物中に含まれる発色物質（ｂ）の含有量（重量％）は、診断正確度の観点から体外診断薬組成物の重量に対し０〜１が好ましく、さらに好ましくは０〜０．５、次にさらに好ましくは０〜０．２である。
本発明の体外診断薬組成物に含まれる界面活性剤（ｃ）の含有量は、診断正確度の観点から体外診断薬組成物の重量に対し、０〜２０重量％が好ましく、さらに好ましくは０〜１０重量％、特に好ましくは０〜３重量％である。
本発明の体外診断薬組成物に含まれる水混和性有機溶剤（ｄ）の含有量は、診断正確度の観点から、体外診断薬組成物の重量に対し、０〜１０重量％が好ましく、さらに好ましくは０〜５重量％、特に好ましくは０〜３重量％である。
本発明の体外診断薬組成物中に含まれる無機塩（ｅ）の含有量（重量％）は、診断正確度の観点から体外診断薬組成物の重量に対し０〜１０が好ましく、さらに好ましくは０〜５、次にさらに好ましくは０〜３である。
本発明の体外診断薬組成物中に含まれる糖（ｆ）の含有量（重量％）は、診断正確度の観点から体外診断薬組成物の重量に対し０〜１０が好ましく、さらに好ましくは０〜５、次にさらに好ましくは０〜３である。
本発明の体外診断薬組成物中に含まれるアミノ酸（ｇ）の含有量（重量％）は、診断正確度の観点から体外診断薬組成物の重量に対し０〜１０が好ましく、さらに好ましくは０〜５、次にさらに好ましくは０〜３である。
本発明の体外診断薬組成物中に含まれるアルカリ剤（ｈ）の含有量（重量％）は、診断正確度の観点から体外診断薬組成物の重量に対し０〜５が好ましく、さらに好ましくは０〜３、次にさらに好ましくは０〜１である。
本発明の体外診断薬組成物中に含まれるキレート剤（ｉ）の含有量（重量％）は、診断正確度の観点から体外診断薬組成物の重量に対し０〜５が好ましく、さらに好ましくは０〜３、次にさらに好ましくは０〜２である。
本発明の体外診断薬組成物中に含まれるタンパク質吸着防止剤（ｊ）の含有量（重量％）は、診断正確度の観点から体外診断薬組成物の重量に対し０〜１０が好ましく、さらに好ましくは０〜５、次にさらに好ましくは０〜３である。
【００７５】
本発明の体外診断薬組成物は、各成分を混合することにより得られ、製造方法は特に限定されるものではない。１例を下記に示す。
（１）水に、化合物（Ａ）及び必要により化合物（Ｂ）を加え、４℃で均一になるまで撹拌する。
（２）タンパク質（ａ）以外の成分を所定量添加し均一に溶解させる。
（３）最後にタンパク質（ａ）を添加し溶解させ、体外診断薬組成物を製造する。
【実施例】
【００７６】
以下の実施例により本発明を更に説明するが、本発明はこれらに限定されるものではない。
【００７７】
＜製造例１＞
Ｎ−α−アセチルアルギニン｛アルギニンアセトアミド、株式会社エムピーバイオジャパン｝１２．６重量部（０．０５モル部）、メタンスルホン酸１重量部及びエタノール９２重量部（２モル部）を均一混合し、８０℃で５時間加熱攪拌し、エバポレーターで濃縮後、塩酸（濃度：３５重量％）５．２重量部（０．０５モル部）を加え中和した。その後、水から再結晶し、減圧乾燥｛６０℃、２０Ｐａ｝して、化合物（Ｂ）であるＮ−α−アセチルアルギニンエチルエステル塩酸塩を得た。
【００７８】
＜実施例１〜１５＞
表１の割合で４℃で配合し、本発明の体外診断薬組成物を作製した。
【００７９】
＜比較例１〜６＞
表２の割合で４℃で配合し、比較用の体外診断薬組成物を作製した。
【００８０】
＜性能試験＞
＜診断正確度評価＞
（ｉ）アルカリ性フォスファターゼの場合、
実施例１、２、６〜９及び比較例１、５の作製直後の体外診断薬組成物１０μＬを、０．０５重量％濃度のｐ−ニトロフェニルフォスフェート水溶液３ｍＬに２５℃で添加してすぐに、分光光度計｛島津製作所製、ＵＶ−１７００｝で４００ｎｍの吸光度（Ａ0）を測定した。１０分後に再度、吸光度（Ａ10）を測定した。
吸光度変化（ΔＡ）は以下の式で求められる。
吸光度変化（ΔＡ）＝Ａ10−Ａ0
また、体外診断薬組成物１０μＬの代わりに、０．１重量％アルカリ性フォスファターゼ水溶液で同様に吸光度変化（ΔＡ‘）を求めた。
作製直後の診断正確度は、以下の式で算出した。
作製直後の診断正確度＝（ΔＡ）／（ΔＡ‘）
次に、作製直後の体外診断薬組成物を４℃の冷蔵庫で３ヶ月保存した後の体外診断薬組成物に変更したこと以外、上記と同様の試験をおこない、吸光度変化（ΔＡ3M）を求めた。
３ヶ月保存後の診断正確度は以下の式で求めた。
３ヶ月保存後の診断正確度＝（ΔＡ3M）／（ΔＡ‘）
診断正確度の結果を表１、２に示す。
【００８１】
（ｉｉ）ペルオキシターゼの場合、
実施例３、１０〜１１及び比較例２、６の作製直後の体外診断薬組成物１０μＬを、０．０５重量％濃度の過酸化水素水溶液３ｍＬに２５℃で添加して１０分後に分光光度計｛島津製作所製、ＵＶ−１７００｝で５００ｎｍの吸光度（Ａ10）を測定した。
また、体外診断薬組成物１０μＬの代わりに、０．１重量％ペルオキシターゼ水溶液で同様に吸光度（Ａ10‘）を求めた。
作製直後の診断正確度は、以下の式で算出した。
作製直後の診断正確度＝（Ａ10）／（Ａ10‘）
次に、作製直後の体外診断薬組成物を４℃の冷蔵庫で３ヶ月保存した後の体外診断薬組成物に変更したこと以外、上記と同様の試験をおこない、吸光度（Ａ103M）を求めた。
３ヶ月保存後の診断正確度は以下の式で求めた。
３ヶ月保存後の診断正確度＝（Ａ103M）／（Ａ10‘）
診断正確度の結果を表１、２に示す。
【００８２】
（ｉｉｉ）ペルオキシターゼとコレステロールオキシターゼの場合、
実施例４、１２〜１３及び比較例３の作製直後の体外診断薬組成物１０μＬを、０．００５重量％濃度のコレステロール懸濁液３ｍＬに２５℃で添加し、１０分後に分光光度計｛島津製作所製、ＵＶ−１７００｝で５００ｎｍの吸光度（Ａ10）を測定した。
また、体外診断薬組成物１０μＬの代わりに、０．１重量％ペルオキシターゼ、０．１％コレステロールオキシターゼ水溶液で同様に吸光度（Ａ10‘）を求めた。
作製直後の診断正確度は、以下の式で算出した。
作製直後の診断正確度＝（Ａ10）／（Ａ10‘）
次に、作製直後の体外診断薬組成物を４℃の冷蔵庫で３ヶ月保存した後の体外診断薬組成物に変更したこと以外、上記と同様の試験をおこない、吸光度（Ａ103M）を求めた。
３ヶ月保存後の診断正確度は以下の式で求めた。
３ヶ月保存後の診断正確度＝（Ａ103M）／（Ａ10‘）
診断正確度の結果を表１、２に示す。
【００８３】
（ｉｖ）リパーゼの場合、
実施例５、１４〜１５及び比較例４の作製直後の体外診断薬組成物１０μＬを、０．０５重量％濃度のｐ−ニトロフェニルアセテート水溶液３ｍＬに２５℃で添加してすぐに、分光光度計｛島津製作所製、ＵＶ−１７００｝で４００ｎｍの吸光度（Ａ0）を測定した。１０分後に再度、吸光度（Ａ10）を測定した。
吸光度変化（ΔＡ）は以下の式で求められる。
吸光度変化（ΔＡ）＝Ａ10−Ａ0
また、体外診断薬組成物１０μＬの代わりに、０．１重量％リパーゼ水溶液で同様に吸光度変化（ΔＡ‘）を求めた。
作製直後の診断正確度は、以下の式で算出した。
作製直後の診断正確度＝（ΔＡ）／（ΔＡ‘）
次に、作製直後の体外診断薬組成物を４℃の冷蔵庫で３ヶ月保存した後の体外診断薬組成物に変更したこと以外、上記と同様の試験をおこない、吸光度変化（ΔＡ3M）を求めた。
３ヶ月保存後の診断正確度は以下の式で求めた。
３ヶ月保存後の診断正確度＝（ΔＡ3M）／（ΔＡ‘）
診断正確度の結果を表１、２に示す。
【００８４】
【表１】
2011196996.tif 000010
【００８５】
【表２】
2011196996.tif 000011
【００８６】
表１〜２中の化合物（Ａ）、化合物（Ｂ）及びタンパク質（ａ）は下記のものを使用した。
グアニジン塩酸塩：和光純薬工業製
尿素：和光純薬工業製
アルギニン塩酸塩：和光純薬工業製
アルカリ性フォスファターゼ：和光純薬工業製
ペルオキシターゼ：和光純薬工業製
コレステロールオキシターゼ：和光純薬工業製
リパーゼ：和光純薬工業製
アミノアンチピリン／フェノール：アミノアンチピリン（和光純薬工業製）：フェノールが１重量部：９重量部の混合物
フェノール：和光純薬工業製
コール酸ナトリウム：和光純薬工業製
ノニルフェノールＥＯ１０モル付加物：和光純薬工業製
ウシ血清アルブミン：和光純薬工業製
なお、表１及び２中、各成分の割合は、重量部で示した。
【００８７】
表２中の比較例１〜４の体外診断薬組成物は、３ヶ月保存後に診断正確度が著しく低下し、持続しないことがわかる。また、比較例５、６の体外診断薬組成物は、保存後の診断正確度の低下が若干抑制されるが、依然として満足いくレベルではない。
一方、表１中の実施例１〜１５の本発明の体外診断薬は、３ヶ月保存後の診断正確度の低下が少ないことがわかる。
【産業上の利用可能性】
【００８８】
本発明の体外診断薬組成物は、医療機関での臨床使用に加えて、家庭での簡易検査キット、酵素センサーにも使用できる。